(57)【要約】【課題】ユーザーが表示機の入力切換を行わずとも表示機の選局操作により、表示機に接続された外部受信機より出力される映像及び音声信号へ入力を切り替え、さらに外部受信機の選局操作をも行うことにより、容易に外部受信機の選局操作を行えることを可能とするものである。【解決手段】テレビに内蔵されたチューナーからの映像出力を表示しており、テレビの選局部が特定のチャンネルを選局中であり、ユーザーからの特定の選局要求を表示機が受けた場合等、テレビに特定のメッセージを送信する手段を備えた外部受信機により、ユーザーはテレビに内蔵されたチューナーの選局とテレビに接続された外部受信機のチャンネルを連続的に切り替えることが可能なシステムを実現することができる。【選択図】  図１
2004304220.tif 000002
【特許請求の範囲】
【請求項１】
表示手段と、前記表示手段に接続される複数の映像出力手段とで構成されるシステムにおいて、前記映像出力手段の選局状態が所定の条件を満たし、かつ所定の選局要求を受信した場合に、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行うことを特徴とする映像受信システム。
【請求項２】
表示手段と、前記表示手段に接続される複数の映像出力手段とで構成されるシステムにおいて、前記映像出力手段の選局状態が所定の条件を満たし、かつ所定の選局要求を受信した場合に、特定のデジタル信号を前記デジタルインターフェースを用い出力することにより、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行うことを特徴とする映像受信システム。
【請求項３】
表示手段と、前記表示手段に接続される複数の映像出力手段とで構成されるシステムにおいて、前記映像出力手段の選局状態がチャンネルリストの最後のチャンネルを選局している状態で、チャンネルリストの昇順にチャンネルを切り替える選局要求を受信した場合に、特定のデジタル信号を前記デジタルインターフェースを用い出力することにより、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行うことを特徴とする映像受信システム。
【請求項４】
デジタルインターフェースとはＨＤＭＩであることを特徴とする請求項３記載の映像受信システム。
【請求項５】
デジタルインターフェースとはＤＶＩであることを特徴とする請求項３記載の映像受信システム。
【請求項６】
デジタルインターフェースとはＩＥＥＥ１３９４であることを特徴とする請求項３記載の映像受信システム。
【請求項７】
表示手段と、前記表示手段に接続される複数の映像出力手段とで構成されるシステムにおいて、前記映像出力手段の選局状態がチャンネルリストの最初のチャンネルを選局している状態で、チャンネルリストの降順にチャンネルを切り替える選局要求を受信した場合に、特定のデジタル信号を前記デジタルインターフェースを用い出力することにより、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行うことを特徴とする映像受信システム。
【請求項８】
デジタルインターフェースとはＨＤＭＩであることを特徴とする請求項７記載の映像受信システム。
【請求項９】
デジタルインターフェースとはＤＶＩであることを特徴とする請求項７記載の映像受信システム。
【請求項１０】
デジタルインターフェースとはＩＥＥＥ１３９４であることを特徴とする請求項７記載の映像受信システム。
【請求項１１】
表示手段と、前記表示手段に接続される複数の映像出力手段とで構成されるシステムにおいて、前記映像出力手段の選局状態がチャンネルリストの全てのチャンネルを選局したという状態で、選局要求を受信した場合に、特定のデジタル信号を前記デジタルインターフェースを用い出力することにより、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行うことを特徴とする映像受信システム。
【請求項１２】
デジタルインターフェースとはＨＤＭＩであることを特徴とする請求項１１記載の映像受信システム。
【請求項１３】
デジタルインターフェースとはＤＶＩであることを特徴とする請求項１１記載の映像受信システム。
【請求項１４】
デジタルインターフェースとはＩＥＥＥ１３９４であることを特徴とする請求項１１記載の映像受信システム。
【請求項１５】
表示手段と、前記表示手段に接続される複数の映像出力手段とで構成されるシステムにおいて、前記表示手段または前記表示手段に接続される前記複数の映像出力手段のいずれかが、前記表示手段に接続された前記複数の映像出力手段が保持するチャンネルリストを一括で管理し、デジタルインターフェースを用い前記表示手段に接続される前記複数の映像出力手段の選局を行い、前記映像出力手段の選局状態が所定の条件を満たし、かつ所定の選局要求を受信した場合に、前記表示手段が表示する映像の入力を切り替え、前記表示手段に接続される前記複数の映像出力手段の選局を連続的かつ循環的に行うことを特徴とする映像受信システム。
【請求項１６】
表示手段と、前記表示手段に接続される複数の映像出力手段とで構成されるシステムにおいて、前記表示手段または前記表示手段に接続される前記複数の映像出力手段のいずれかが、前記表示手段に接続された前記複数の映像出力手段が保持するチャンネルリストを一括で管理し、デジタルインターフェースを用い前記表示手段に接続される前記複数の映像出力手段の選局を行い、前記映像出力手段の選局状態がチャンネルリストの最後のチャンネルを選局している状態で、チャンネルリストの昇順にチャンネルを切り替える選局要求を受信した場合に前記表示手段が表示する映像の入力を切り替え、前記表示手段に接続される前記複数の映像出力手段の選局を連続的かつ循環的に行うことを特徴とする映像受信システム。
【請求項１７】
デジタルインターフェースとはＨＤＭＩであることを特徴とする請求項１６記載の映像受信システム。
【請求項１８】
デジタルインターフェースとはＤＶＩであることを特徴とする請求項１６記載の映像受信システム。
【請求項１９】
デジタルインターフェースとはＩＥＥＥ１３９４であることを特徴とする請求項１６記載の映像受信システム。
【請求項２０】
表示手段と、前記表示手段に接続される複数の映像出力手段とで構成されるシステムにおいて、前記表示手段または前記表示手段に接続される前記複数の映像出力手段のいずれかが、前記表示手段に接続された前記複数の映像出力手段が保持するチャンネルリストを一括で管理し、デジタルインターフェースを用い前記表示手段に接続される前記複数の映像出力手段の選局を行い、前記映像出力手段の選局状態がチャンネルリストの最始のチャンネルを選局している状態で、チャンネルリストの降順にチャンネルを切り替える選局要求を受信した場合に前記表示手段が表示する映像の入力を切り替え、前記表示手段に接続される前記複数の映像出力手段の選局を連続的かつ循環的に行うことを特徴とする映像受信システム。
【請求項２１】
デジタルインターフェースとはＨＤＭＩであることを特徴とする請求項２０記載の映像受信システム。
【請求項２２】
デジタルインターフェースとはＤＶＩであることを特徴とする請求項２０記載の映像受信システム。
【請求項２３】
デジタルインターフェースとはＩＥＥＥ１３９４であることを特徴とする請求項２０記載の映像受信システム。
【請求項２４】
表示手段と、前記表示手段に接続される複数の映像出力手段とで構成されるシステムにおいて、前記表示手段または前記表示手段に接続される前記複数の映像出力手段のいずれかが、前記表示手段に接続された前記複数の映像出力手段が保持するチャンネルリストを一括で管理し、デジタルインターフェースを用い前記表示手段に接続される前記複数の映像出力手段の選局を行い、前記映像出力手段の選局状態がチャンネルリストの全てのチャンネルを選局したという状態で、選局要求を受信した場合に、前記表示手段が表示する映像の入力を切り替え、前記表示手段に接続される前記複数の映像出力手段の選局を連続的かつ循環的に行うことを特徴とする映像受信システム。
【請求項２５】
デジタルインターフェースとはＨＤＭＩであることを特徴とする請求項２４記載の映像受信システム。
【請求項２６】
デジタルインターフェースとはＤＶＩであることを特徴とする請求項２４記載の映像受信システム。
【請求項２７】
デジタルインターフェースとはＩＥＥＥ１３９４であることを特徴とする請求項２４記載の映像受信システム。
【発明の詳細な説明】
【０００１】
【発明の属する技術分野】
本発明は、テレビとテレビに接続された外部受信機によるシステムにおいて、ユーザーがテレビに内蔵されたチューナーの選局とテレビに接続された外部受信機のチャンネルをチャンネルアップボタン及びチャンネルダウンボタンのみで切り替えることが可能な仕組みが施された受信システムに関する。
【０００２】
【従来の技術】
例えば、受信機の１例としてテレビを用いて従来の技術を説明すると、地上波チューナー及びアナログＢＳチューナーを内蔵するテレビと、デジタルＢＳ放送やＣＳ放送等の外部受信機を接続したシステムにおいて、ユーザーはチャンネルアップダウンボタンを複数回押下することにより地上波放送とアナログＢＳ放送の全チャンネルを選局することが可能である。そして、ユーザーがテレビに接続された外部受信機の放送を視聴する為には、テレビのリモコンの入力切換ボタンを操作し所望の映像入力に切り替えてから、外部受信機のリモコンでチャンネルを操作する。
【０００３】
煩雑なリモコン操作を改善するために、図１９の受信機が考案されている。（特許文献１参照）  １９０１はチューナー、ディスプレイを有する受信機、１９０２はリモコン信号の受光部、１９０３は制御信号発振部、１９０４は受信機に接続される外部チューナー、１９０５は１９０１で示す受信機を制御するリモコン、１９０６は制御信号発振部とディスプレイを接続するケーブルである。この従来例では、受信機１９０１にあらかじめ外部チューナー１９０４が受信可能なチャンネル数を設定する必要があった。
【０００４】
【特許文献１】
特開２００２−１１８７９４号公報
【０００５】
【発明が解決しようとする課題】
一般視聴者が受信可能な放送方式の増加に伴い、テレビに外部受信機を接続して視聴する視聴者が増えている。日本国内で使用されている外部受信機を例に挙げれば、ＢＳデジタル放送受信機、ＣＳデジタル放送受信機、ＣＡＴＶ放送受信機などである。
【０００６】
通常、地上波放送チューナーを内蔵するテレビのリモコンには選局チャンネルを順送り、または逆順送りで切り替えるチャンネルアップボタン及びチャンネルダウンボタンが用意されており、ユーザーはこのボタンを押下することにより容易にそのチューナーが受信可能なチャンネルを選局することができる。地上波チューナーとアナログＢＳチューナーの双方を装備するテレビの場合は、チャンネルアップダウンボタンの操作のみで地上波放送とアナログＢＳ放送の選局が可能である。
【０００７】
しかし、ユーザーがテレビに接続された外部受信機の放送を選局する為には、テレビのリモコンの入力切換ボタンを操作し所望の映像入力に切り替えてから、外部受信機のリモコンに持ち替え、外部受信機のリモコンでチャンネル操作を行わなければならず面倒である。
【０００８】
また、ユーザーはテレビのどの入力端子にどの外部受信機を接続したかを覚えておく必要があり面倒である。
【０００９】
本発明は、上記の問題に鑑みて為されたものであって、その目的はユーザーがテレビの入力切換操作を行わずともテレビのアップダウン選局操作のみで、テレビ内蔵のチューナーと外部受信機の選局を連続的かつ循環的に行うことを可能とするものである。
【００１０】
【課題を解決するための手段】
上記の課題を解決するために、本発明（請求項１）にかかわる映像受信システムは、表示手段と、前記表示手段に接続される複数の映像出力手段とで構成されるシステムにおいて、前記映像出力手段の選局状態が所定の条件を満たし、かつ所定の選局要求を受信した場合に、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行う。
【００１１】
また、本発明（請求項２）にかかわる映像受信システムは、表示手段と、前記表示手段に接続される複数の映像出力手段とで構成されるシステムにおいて、前記映像出力手段の選局状態が所定の条件を満たし、かつ所定の選局要求を受信した場合に、特定のデジタル信号を前記デジタルインターフェースを用い出力することにより、前記表示手段が表示する映像の入力を切り替え、前記表示手段が表示する映像を出力している前記映像出力手段にデジタルインターフェースを用い選局要求を出力することにより、前記表示手段に接続される前記複数の映像出力手段の選局を連続的かつ循環的に行う。
【００１２】
また、本発明（請求項２）にかかわる映像受信システムは、表示手段と、前記表示手段に接続される複数の映像出力手段とで構成されるシステムにおいて、前記表示手段または前記表示手段に接続される前記複数の映像出力手段のいずれかが、前記表示手段に接続された前記複数の映像出力手段が保持するチャンネルリストを一括で管理し、デジタルインターフェースを用い前記表示手段に接続される前記複数の映像出力手段の選局を行い、前記映像出力手段の選局状態が所定の条件を満たし、かつ所定の選局要求を受信した場合に、前記表示手段が表示する映像の入力を切り替え、前記表示手段に接続される前記複数の映像出力手段の選局を連続的かつ循環的に行う。
【００１３】
【発明の実施の形態】
（実施の形態１）
実施の形態１では、ＳＴＢ等の外部受信機のチャンネルが一巡した場合にＳＴＢより出力されるメッセージをテレビが受信し、テレビの映像入力元を切り替え、さらなる選局はテレビが映像を表示中のＳＴＢに対して行われることにより、ユーザーがテレビの入力切換操作を行わずともテレビのアップダウン選局操作のみで、テレビ内蔵のチューナーと外部受信機の選局を連続的かつ循環的に行うことを可能とするものである。
【００１４】
図１は実施の形態１による映像受信システムの構成を示す図である。ここでは地上波チューナを内蔵し、複数の外部入力を装備したテレビとして説明する。
【００１５】
１００はテレビで、放送波を受信し映像及び音声を提示したり、外部入力された映像または音声を提示するものである。１０１はテレビのリモコンで、ユーザーがテレビの操作をするものである。１０２はテレビのアンテナで、放送波を受信するものである。１０３はテレビのコントロール部で、テレビ全体の制御するものであり、例えばＣＰＵである。１０４はテレビのメモリ部で、後述する選局情報及び映像入力切換情報を格納するものである。
【００１６】
１０５はテレビのリモコン受信部で、リモコン１０１からの信号を受けるものである。１０６はテレビの選局部で、アンテナ１０２で受信した放送波を選局するものである。１０７はテレビの復調部で選局部１０６で選局された信号を復調し映像及び音声信号に変換するものである。１０８はテレビの第一のデジタルインターフェース受信部で、ＳＴＢなどの外部機器からの映像または音声を受信することができ、さらにテレビとＳＴＢ及び外部機器間で制御信号の双方向通信を可能とするものである。
【００１７】
実施の形態１では、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を例にとって説明する。１０９はテレビの第二のデジタルインターフェース受信部で、第一のデジタルインターフェース受信部１０８と同様である。１１０はテレビのセレクタ部で、テレビの復調部１０７、第一のデジタルインターフェース受信部１０８、及び第二のデジタルインターフェース受信部１０９より、１つの映像及び音声信号をコントロール部１０３の制御により選択し、出力するものである。
【００１８】
１１１はテレビの表示部であり、セレクタ部１１０より出力される映像及び音声を提示するものである。１１２は第一のＳＴＢで映像及び音声を出力するものである。第一のＳＴＢ１１２の内部構成例に関しては後述する。１１３は第二のＳＴＢで、第一のＳＴＢ１１２と同様である。
【００１９】
１１４はテレビ１００と第一のＳＴＢ１１２を接続するデジタルケーブルである。実施の形態１では、デジタルケーブル１１４はＨＤＭＩケーブルである。１１５はテレビ１００と第二のＳＴＢ１１３を接続するデジタルケーブルであり、デジタルケーブル１１４同様ＨＤＭＩケーブルである。
【００２０】
前述した第一のＳＴＢ１１２の内部構成例を図２を使用し説明する。ここでは、デジタル放送を受信するＳＴＢとして説明する。
【００２１】
２００は第一のＳＴＢであり、放送波を受信し、映像及び音声を出力するものである。２０１は第一のＳＴＢのコントロール部で、第一のＳＴＢ全体の制御をするものであり、例えばＣＰＵである。２０２は第一のＳＴＢのメモリ部で、後述する選局情報を格納するものである。
【００２２】
２０３は第一のＳＴＢののアンテナで、放送波を受信するものであり、例えば衛星放送用のパラボラアンテナである。２０４は第一のＳＴＢのチューナ部で、第一のＳＴＢのアンテナ２０３より入力された放送波より特定の伝送チャンネルを抜き出すものである。２０５は第一のＳＴＢの復調部で、チューナ部２０４より出力される信号を復調及び誤り訂正を行いＴＳ（トランスポートストリーム）を再生するものである。
【００２３】
２０６は第一のＳＴＢのＴＳデコーダ部で、復調部２０５にて取り出された複数の番組が多重されたＴＳから、ユーザーが選択した番組のパケット（映像、音声データ等）を抽出するものである。２０７は第一のＳＴＢのＡＶデコーダ部で、ＴＳでコーダ部２０６で抽出した映像パケット及び音声パケットの伸張を行い、デジタルの映像信号及び音声信号を出力するものである。
【００２４】
２０８はデジタルインターフェース送信部で、映像または音声を送信することができ、さらに接続された機器間の双方向通信を可能とするものである。
【００２５】
実施の形態１では、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を例にとって説明する。また、デジタルインターフェース送信部２０８の内部構造については後述する。
【００２６】
前述した第二のＳＴＢ１１３の内部構造例を図３を使用し説明する。第一のＳＴＢ１１２同様の構成であり、ここでは、デジタル放送を受信するＳＴＢとして説明する。
【００２７】
３００は第二のＳＴＢであり、放送波を受信し、映像及び音声を出力するものである。３０１は第二のＳＴＢのコントロール部で、第二のＳＴＢ全体の制御をするものであり、例えばＣＰＵである。３０２は第二のＳＴＢのメモリ部で、後述する選局情報を格納するものである。
【００２８】
３０３は第二のＳＴＢののアンテナで、放送波を受信するものであり、例えば衛星放送用のパラボラアンテナである。３０４は第二のＳＴＢのチューナ部で、第二のＳＴＢのアンテナ３０３より入力された放送波より特定の伝送チャンネルを抜き出すものである。
【００２９】
３０５は第二のＳＴＢの復調部で、チューナ部３０４より出力される信号を復調及び誤り訂正を行いＴＳ（トランスポートストリーム）を再生するものである。３０６は第二のＳＴＢのＴＳデコーダ部で、復調部３０５にて取り出された複数の番組が多重されたＴＳから、ユーザーが選択した番組のパケット（映像、音声データ等）を抽出するものである。
【００３０】
３０７は第二のＳＴＢのＡＶデコーダ部で、ＴＳでコーダ部３０６で抽出した映像パケット及び音声パケットの伸張を行い、デジタルの映像信号及び音声信号を出力するものである。３０８はデジタルインターフェース送信部で、映像または音声を送信することができ、さらに接続された機器間の双方向通信を可能とするものである。
【００３１】
実施の形態１では、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）を例にとって説明するが、ＤＶＩやＩＥＥ１３９４等のデジタルインターフェースでもよい。また、デジタルインターフェース送信部３０８の内部構造については後述する。
【００３２】
次に、前述したデジタルインターフェース送信部及びデジタルインターフェース受信部の構成について図４を用いて説明する。前述したように実施の形態１ではデジタルインターフェース送信部及びデジタルインターフェース受信部はＨＤＭＩを例にとって説明する。
【００３３】
ＨＤＭＩの仕様は、Ｈｉｇｈ  Ｄｅｆｉｎｉｔｉｏｎ  ＭｕｌｔｉｍｅｄｉａＩｎｔｅｒｆａｃｅ  Ｓｐｅｃｉｆｉｃａｔｉｏｎ  Ｖｅｒ０．９に記載されている。ＨＤＭＩは送信部（トランスミッター）、受信部（レシーバー）から成り、送信部はＳＴＢやＤＶＤ、ＶＴＲまたはパソコンといった映像、音声のソースとなる機器が備えるもので、一方、受信部はテレビ、ディスプレーなどの映像や音声を提示可能な機器が備えるものである。
【００３４】
送信部と受信部の間はＨＤＭＩケーブルで接続される。また、送信部及び受信部という名称は、映像及び音声信号の送信及び受信の向きを示しているが、接続された機器間の通信は後述するＣＥＣライン４０７及びＤＤＣライン４０８を用い、双方向である。
【００３５】
ＣＥＣライン４０７を用いることにより各機器間の通信が行われる。ＣＥＣライン４０７上で通信されるメッセージの中には、例えば以下のようなものがある。プリセット選択メッセージ（Ｓｅｌｅｃｔ  Ｐｒｅｓｅｔ）は、受信機が持つプリセットチャンネルリストの中の特定のプリセットチャンネルを選局するものである。
【００３６】
チューナー・ステップ・ディクリメントメッセージ（Ｔｕｎｅｒ  Ｓｔｅｐ  Ｄｅｃｒｅｍｅｎｔ）はメッセージ要求先の現在選局中のプリセットチャンネルから、ひとつ下のプリセットチャンネルに選局するものである。チューナー・ステップ・インクリメントメッセージ（Ｔｕｎｅｒ  Ｓｔｅｐ  Ｉｎｃｒｅｍｅｎｔ）はメッセージ要求先の現在選局中のプリセットチャンネルから、ひとつ上のプリセットチャンネルに選局するものである。
【００３７】
プリセットチャンネルリスト送信開始メッセージ（Ｓｔａｒｔ  ＰｒｅｓｅｔＴｒａｎｓｆｅｒ）は、メッセージ要求先の受信機が持つプリセットチャンネルリストをメッセージ要求元へ送信開始するものである。これらのメッセージに加え、実施の形態１ではメーカーコマンド＜Ｖｅｎｄｏｒ  Ｃｏｍｍａｎｄ＞等を用いて、チャンネルアップ及びチャンネルダウン操作をした際、プリセットチャンネルの選局が一巡したことを示すプリセットループ終了メッセージを追加する。
【００３８】
また、プリセットチャンネルとは、ユーザーがチャンネルアップボタンまたは、チャンネルダウンボタンを押した時に順次選局されるチャンネルのことであり、プリセットチャンネルリストとは、受信機が保持するプリセットチャンネルの一覧表である。プリセットチャンネルリストはユーザーにより受信機に設定される場合と、受信機が自動的に受信可能なチャンネルを検索し設定する場合とがあるが、本発明ではどちらでも良い。
【００３９】
４０１はＳＴＢに備えられたＨＤＭＩデジタルインターフェース送信部で映像信号（Ｙ、Ｐｂ、Ｐｒ）とオーディオ信号（ＩＥＣ９５８）をＴＭＤＳエンコードして、高速伝送に適した形式で受信部４０２に向けて出力するものである。４０２はＴＭＤＳエンコーダで、映像データについては、８ビットパラレルＸ３チャンネルの映像データをシリアル１０ビットＸ３チャンネルに変換し、音声データについては、パラレル４ビットの音声データをシリアル１０ビットに変換するものである。
【００４０】
４０３はＳＴＢのコントロール部で、図２の第一のＳＴＢのコントロール部２０１、図３の第二のＳＴＢのコントロール部３０１と同様のものであり、ＨＤＭＩデジタルインターフェース送信部４０１を制御及び後述するＣＥＣライン４０７及びＤＤＣライン４０８を用いて接続された機器間を双方向通信する。４０４はテレビに備えられたＨＤＭＩデジタルインターフェース受信部で、ＨＤＭＩデジタルインターフェース送信部４０１より出力される映像データ、音声データをＴＭＤＳデコードし、ベースバンドの映像データ、音声データを再生するものである。
【００４１】
４０５はＴＭＤＳデコーダで、シリアル１０ビットＸ３チャンネルの映像データを８ビットパラレルＸ３チャンネルに変換し、シリアル１０ビットの音声データをパラレル４ビットに変換するものである。４０６はテレビのコントロール部で、図１のテレビのコントロール部１０３と同様のものであり、ＨＤＭＩデジタルインターフェース受信部４０４を制御及び後述するＣＥＣライン４０７及びＤＤＣライン４０８を用いて接続された機器間を双方向通信する。
【００４２】
４０７はＣＥＣ（Ｃｏｎｓｕｍｅｒ  Ｅｌｅｃｔｒｏｎｉｃｓ  Ｃｏｎｔｒｏｌ）ラインで、民生機器用の制御信号を伝送するものである。４０８はＤＤＣ（Ｄｉｓｐｌａｙ  Ｄａｔａ  Ｃｈａｎｎｅｌ）ラインで、ディスプレーの制御信号を伝送するものである。
【００４３】
次に図１から図３に示した実施の形態１の構成と図４のＨＤＭＩデジタルインターフェースの構成との関係を説明する。実施の形態１における図２のデジタルインターフェース送信部２０８と図３のデジタルインターフェース送信部３０８が図４のＨＤＭＩデジタルインターフェース送信部４０１に相当し、図１の第一のデジタルインターフェース受信部１０８と第二のデジタルインターフェース受信部１０９が図４のたＨＤＭＩデジタルインターフェース受信部４０４に相当する。
【００４４】
次に図５を用いてテレビ１００のリモコン１０１の構成例を説明する。５００はリモコンで、ユーザーがテレビの操作を行う為に使用するものである。５０１はチャンネルアップボタンで、押下することによりチャンネルアップするものである。５０２はチャンネルダウンボタンで、押下することによりチャンネルダウンするものである。
【００４５】
リモコン５００のチャンネルアップボタン５０１を押下することにより、リモコン受信部１０５はコントロール部１０３にチャンネルアップ要求を出す。また、リモコン５００のチャンネルダウンボタン５０２を押下することにより、リモコン受信部１０５はコントロール部１０３にチャンネルダウン要求を出す。
【００４６】
次に図６を用いてユーザーがチャンネルアップボタン５０１を押下した場合のテレビのチャンネルアップ処理ルーチンを説明する。この処理ルーチンはテレビのリモコン受信部１０５がリモコン１０１からのチャンネルアップ信号を受信し、リモコン受信部１０５がコントロール部１０３にチャンネルアップ要求を出すことにより開始される。
【００４７】
ステップ６０１
テレビのコントロール部１０３がチャンネルアップ要求を認識すると、まず現在テレビの表示部１１１がテレビの復調部１０７からの映像を表示しているかをセレクタ部１１０の状態を確認することにより判別する。
【００４８】
ステップ６０２
ステップ６０１にてテレビの表示部１１１がテレビの復調部１０７からの映像を表示している場合、現在テレビの選局部１０６及びテレビの復調部１０７が選局しているチャンネルは、テレビのプリセットチャンネルリストの最後のチャンネルを選局中か確認する。
【００４９】
ステップ６０３
ステップ６０２にてテレビが選局しているチャンネルは、テレビのプリセットチャンネルリストの最後のチャンネルを選局していない場合、コントロール部１０３は選局部１０６及び復調部１０７を制御し、現在選局中のプリセットチャンネルの次のプリセットチャンネルに選局する。そして、チャンネルアップ処理ルーチンを終了する。
【００５０】
ステップ６０４
ステップ６０２にてテレビが選局しているチャンネルは、テレビのプリセットチャンネルリストの最後のチャンネルを選局している場合、テレビのコントロール部１０３は第一のデジタルインターフェース受信部１０８を制御しＣＥＣラインを用いてプリセット選択メッセージを第一のＳＴＢ１１２に送信し、第一のＳＴＢ１１２は第一のＳＴＢ１１２のプリセットチャンネルリストの一番最初のチャンネルを選局する。
【００５１】
ステップ６０５
テレビのコントロール部１０３はセレクタ部１１０を制御し、第一のＳＴＢ１１２からの映像がテレビの表示部１１１に出力するように制御する。
【００５２】
ステップ６０６
ステップ６０１にてテレビの表示部１１１がテレビの復調部１０７からの映像を表示していない場合、テレビの表示部１１１が第一のＳＴＢ１１２からの映像を表示しているか確認する。
【００５３】
ステップ６０７
ステップ６０６にてテレビの表示部１１１が第一のＳＴＢ１１２からの映像を表示している場合、テレビのコントロール部１０３は第一のデジタルインターフェース部１０７を制御しＣＥＣラインを用いて第一のＳＴＢ１１２にチューナー・ステップ・インクリメントメッセージを送信し、第一のＳＴＢ１１２が現在受信中のプリセットチャンネルの次のプリセットチャンネルに選局する。
【００５４】
ステップ６０８
ステップ６０７にて第一のＳＴＢ１１２のチャンネルを変更した際、第一のＳＴＢ１１２のプリセットチャンネルリストが一巡する可能性があるため、第一のＳＴＢからプリセットループ終了メッセージが出力されたかを確認する。第一のＳＴＢからプリセットループ終了メッセージが出力されなかった場合、チャンネルアップ処理ルーチンを終了する。
【００５５】
ステップ６０９
ステップ６０８にて第一のＳＴＢからプリセットループ終了メッセージが出力された場合、テレビのコントロール部１０３は第二のデジタルインターフェース部１０９を制御しＣＥＣラインを用いてプリセット選択メッセージを第二のＳＴＢ１１３に送信し、第二のＳＴＢ１１３は第二のＳＴＢ１１３のプリセットチャンネルリストの一番最初のチャンネルを選局する。
【００５６】
ステップ６１０
テレビのコントロール部１０３はセレクタ部１１０を制御し、第二のＳＴＢ１１３からの映像がテレビの表示部１１１に出力するように制御し、チャンネルアップ処理ルーチンを終了する。
【００５７】
ステップ６１１
ステップ６０６にてテレビの表示部１１１が第一のＳＴＢ１１２からの映像を表示していない場合、テレビのコントロール部１０３は第二のデジタルインターフェース部１０９を制御しＣＥＣラインを用いて第二のＳＴＢ１１３にチューナー・ステップ・インクリメントメッセージを送信し、第二のＳＴＢ１１３が現在受信中のプリセットチャンネルの次のプリセットチャンネルに選局する。
【００５８】
ステップ６１２
ステップ６１１にて第二のＳＴＢ１１３のチャンネルを変更した際、第二のＳＴＢ１１３のプリセットチャンネルリストが一巡する可能性があるため、第二のＳＴＢ１１３からプリセットループ終了メッセージが出力されたかを確認する。第二のＳＴＢ１１３からプリセットループ終了メッセージが出力されなかった場合、チャンネルアップ処理ルーチンを終了する。
【００５９】
ステップ６１３
ステップ６１２にて第二のＳＴＢからプリセットループ終了メッセージが出力された場合、テレビのコントロール部１０３は選局部１０６及び復調部１０７を制御し、テレビのプリセットチャンネルリストの一番最初のチャンネルを選局する。
【００６０】
ステップ６１４
テレビのコントロール部１０３はセレクタ部１１０を制御し、テレビの復調部１０７からの映像がテレビの表示部１１１に出力するように制御し、チャンネルアップ処理ルーチンを終了する。
【００６１】
次に図７を用いてユーザーがチャンネルダウンボタン５０２を押下した場合のテレビのチャンネルダウン処理ルーチンを説明する。この処理ルーチンはテレビのリモコン受信部１０５がリモコン１０１からのチャンネルダウン信号を受信し、リモコン受信部１０５がコントロール部１０３にチャンネルダウン要求を出力することにより開始される。
【００６２】
ステップ７０１
テレビのコントロール部１０３がチャンネルダウン要求を認識すると、まず現在テレビの表示部１１１がテレビの復調部１０７からの映像を表示しているかをセレクタ部１１０の状態を確認することにより判別する。
【００６３】
ステップ７０２
ステップ７０１にてテレビの表示部１１１がテレビの復調部１０７からの映像を表示している場合、現在テレビの選局部１０６及びテレビの復調部１０７が選局しているチャンネルは、テレビのプリセットチャンネルリストの最初のチャンネルを選局中か確認する。
【００６４】
ステップ７０３
ステップ７０２にてテレビが選局しているチャンネルは、テレビのプリセットチャンネルリストの最初のチャンネルを選局していない場合、コントロール部１０３は選局部１０６及び復調部１０７を制御し、現在選局中のプリセットチャンネルのひとつ前のプリセットチャンネルに選局する。そして、チャンネルダウン処理ルーチンを終了する。
【００６５】
ステップ７０４
ステップ７０２にてテレビが選局しているチャンネルは、テレビのプリセットチャンネルリストの最初のチャンネルを選局している場合、ＣＥＣライン４０７を用いて第二のＳＴＢ１１３にプリセット選択メッセージを送信し、第二のＳＴＢ１１３は第二のＳＴＢ１１３のプリセットチャンネルリストの一番最後のチャンネルを選局する。
【００６６】
ステップ７０５
テレビのコントロール部１０３はセレクタ部１１０を制御し、第二のＳＴＢ１１３からの映像がテレビの表示部１１１に出力するように制御する。
【００６７】
ステップ７０６
ステップ７０１にてテレビの表示部１１１がテレビの復調部１０７からの映像を表示していない場合、テレビの表示部１１１が第一のＳＴＢ１１２からの映像を表示しているか確認する。
【００６８】
ステップ７０７
ステップ７０６にてテレビの表示部１１１が第一のＳＴＢ１１２からの映像を表示している場合、ＣＥＣライン４０７を用いて第一のＳＴＢ１１２にチューナー・ステップ・ディクリメントメッセージを送信し、第一のＳＴＢ１１２が現在受信中のプリセットチャンネルのひとつ前のプリセットチャンネルに選局する。
【００６９】
ステップ７０８
ステップ７０７にて第一のＳＴＢ１１２のチャンネルを変更した際、第一のＳＴＢ１１２のプリセットチャンネルリストが一巡する可能性があるため、第一のＳＴＢ１１２からプリセットループ終了メッセージが出力されたかを確認する。第一のＳＴＢ１１２からプリセットループ終了メッセージが出力されなかった場合、チャンネルダウン処理ルーチンを終了する。
【００７０】
ステップ７０９
ステップ７１８にて第一のＳＴＢ１１２からプリセットループ終了メッセージが出力された場合、テレビのコントロール部１０３は選局部１０６及び復調部１０７を制御し、テレビのプリセットチャンネルリストの一番最後のチャンネルを選局する。
【００７１】
ステップ７１０
テレビのコントロール部１０３はセレクタ部１１０を制御し、テレビの復調部１０７からの映像がテレビの表示部１１１に出力するように制御し、チャンネルダウン処理ルーチンを終了する。
【００７２】
ステップ７１１
ステップ７０６にてテレビの表示部１１１が第一のＳＴＢ１１２からの映像を表示していない場合、ＣＥＣライン４０７を用いて第二のＳＴＢ１１３にチューナー・ステップ・ディクリメントメッセージを送信し、第二のＳＴＢ１１３が現在受信中のプリセットチャンネルのひとつ前のプリセットチャンネルに選局する。
【００７３】
ステップ７１２
ステップ７１１にて第二のＳＴＢ１１３のチャンネルを変更した際、第二のＳＴＢ１１３のプリセットチャンネルリストが一巡する可能性があるため、第二のＳＴＢ１１３からプリセットループ終了メッセージが出力されたかを確認する。第二のＳＴＢ１１３からプリセットループ終了メッセージが出力されなかった場合、チャンネルダウン処理ルーチンを終了する。
【００７４】
ステップ７１３
ステップ７１２にて第二のＳＴＢ１１３からプリセットループ終了メッセージが出力された場合、ＣＥＣライン４０７を用いて第一ＳＴＢにプリセット選択メッセージを送信し、第一のＳＴＢ１１２は第一のＳＴＢ１１２のプリセットチャンネルリストの一番最後のチャンネルを選局する。
【００７５】
ステップ７１４
テレビのコントロール部１０３はセレクタ部１１０を制御し、第一のＳＴＢ１１２からの映像がテレビの表示部１１１に出力するように制御する。
【００７６】
次に図８を用いて第一のＳＴＢのメモリ部２０２に格納されるデータの説明をする。
【００７７】
８００はＳＴＢ１＿ＮＵＭという名称のメモリ領域でありプリセット番号のリストで、実施の形態１では「０１」から「１０」までの番号を格納する。８０１はＳＴＢ１＿ＣＨという名称のメモリ領域であり選局チャンネル番号のリストで、各プリセット番号に対応している。
【００７８】
８０２はプリセットチャンネルリストで、プリセット番号のリスト８００と選局チャンネル番号のリストをあわせたものである。８０３はＳＴＢ１＿ＴＵＮＩＮＧという名称のメモリ領域であり第一のＳＴＢ１１２が選局中のプリセット番号を格納する。
【００７９】
８０４はＭＡＸ＿ＳＴＢ１＿ＮＵＭという名称のメモリ領域であり第一のＳＴＢ１１２が格納しているプリセット番号の個数で、実施の形態１では「０１」から「１０」までの１０個である。
【００８０】
第一のＳＴＢ１１２のコントロール部２０１はメモリ部２０２を参照することにより、チャンネルアップ及びチャンネルダウン処理が可能となる。また、第二のＳＴＢのメモリ部３０２に格納されるデータは同様であるため省略する。
【００８１】
次に図９を用いてステップ・インクリメント処理ルーチンを説明する。ステップ・インクリメント処理ルーチンは第一のＳＴＢ１１２のデジタルインターフェース送信部２０８がＣＥＣライン４０７を通じてステップ・インクリメントメッセージを受信し、デジタルインターフェース送信部２０８がコントロール部２０１にステップ・インクリメント要求を出力することにより開始される。
【００８２】
ステップ９０１
コントロール部２０１はメモリ部２０２のＳＴＢ１＿ＴＵＮＩＮＧ８０３を参照し、現在受信中のチャンネルのプリセット番号を読み出す。
【００８３】
ステップ９０２
コントロール部２０１は読み出したプリセット番号をプリセット番号の最後の値が格納されているＭＡＸ＿ＳＴＢ１＿ＮＵＭ８０４と比較する。
【００８４】
ステップ９０３
ステップ９０２にて比較が一致しなかった場合、読み出したプリセット番号に「０１」を加算した値を演算する。そして演算結果をＳＴＢ１＿ＮＵＭ８００より検索し、検索結果に対応した選局チャンネル番号をＳＴＢ１＿ＣＨ８０１より読み出す。また、加算演算結果をＳＴＢ１＿ＴＵＮＩＮＧに上書きする。
【００８５】
ステップ９０４
コントロール部２０１はチューナー部２０４、復調部２０５、ＴＳデコーダ部２０６、ＡＶデコーダ部２０７を制御しステップ９０３にて読み出した選局チャンネル番号に選局し、ステップ・インクリメント処理を終了する。
【００８６】
ステップ９０５
ステップ９０２にて比較が一致した場合、コントロール部２０１はデジタルインターフェース送信部２０８を制御し、ＣＥＣライン４０７を用いてプリセット・ループ終了メッセージを出力し、ステップインクリメント処理を終了する。
【００８７】
次に図１０を用いてステップ・ディクリメント処理ルーチンを説明する。ステップ・ディクリメント処理ルーチンは第一のＳＴＢ１１２のデジタルインターフェース送信部２０８がＣＥＣライン４０７を通じてステップ・ディクリメントメッセージを受信し、デジタルインターフェース送信部２０８がコントロール部２０１にステップ・ディクリメント要求を出力することにより開始される。
【００８８】
ステップ１００１
コントロール部２０１はメモリ部２０２のＳＴＢ１＿ＴＵＮＩＮＧ８０３を参照し、現在受信中のチャンネルのプリセット番号を読み出す。
【００８９】
ステップ１００２
コントロール部２０１は読み出したプリセット番号をプリセット番号の最初の値である「０１」と比較する。
【００９０】
ステップ１００３
ステップ９０２にて比較が一致しなかった場合、読み出したプリセット番号に「０１」を減算した値を演算する。そして演算結果をＳＴＢ１＿ＮＵＭ８００より検索し、検索結果に対応した選局チャンネル番号をＳＴＢ１＿ＣＨ８０１より読み出す。また、減算演算結果をＳＴＢ１＿ＴＵＮＩＮＧに上書きする。
【００９１】
ステップ１００４
コントロール部２０１はチューナー部２０４、復調部２０５、ＴＳデコーダ部２０６、ＡＶデコーダ部２０７を制御しステップ９０３にて読み出した選局チャンネル番号に選局し、ステップ・ディクリメント処理を終了する。
【００９２】
ステップ１００５
ステップ１００２にて比較が一致した場合、コントロール部２０１はデジタルインターフェース送信部２０８を制御し、ＣＥＣライン４０７を用いてプリセット・ループ終了メッセージを出力し、ステップディクリメント処理を終了する。
【００９３】
次に図１１を用いてプリセット選択処理ルーチンを説明する。プリセット選択処理ルーチンは第一のＳＴＢ１１２のデジタルインターフェース送信部２０８がＣＥＣライン４０７を通じてプリセット選択メッセージを受信し、デジタルインターフェース送信部２０８がコントロール部２０１にプリセット選択要求を出力することにより開始される。
【００９４】
ステップ１１０１
プリセット選択メッセージにて要求されたプリセット番号をＳＴＢ１＿ＮＵＭ８００より検索し、検索結果に対応した選局チャンネル番号をＳＴＢ１＿ＣＨ８０１より読み出す。また、要求されたプリセット番号をＳＴＢ１＿ＴＵＮＩＮＧに上書きする。
【００９５】
ステップ１１０２
コントロール部２０１はチューナー部２０４、復調部２０５、ＴＳデコーダ部２０６、ＡＶデコーダ部２０７を制御しステップ９０３にて読み出した選局チャンネル番号に選局し、プリセット選択処理ルーチンを終了する。
【００９６】
第一のＳＴＢ１１２の選局動作の例を上記ステップ・インクリメント処理ルーチン、ステップ・ディクリメント処理ルーチン、及びプリセット選択ルーチンを用い説明する。なお、第二のＳＴＢ１１３の選局動作については同様である為説明を省略する。
【００９７】
プリセット番号「０５」の選局チャンネル番号「１５１」を選局中の場合を例にとる。この場合、ＳＴＢ１＿ＴＵＮＩＮＧ８０３には「０５」が格納されている。
【００９８】
ステップ・インクリメントメッセージをコントロール部２０１が受けると、コントロール部２０１はメモリ部２０２のＳＴＢ１＿ＴＵＮＩＧ８０３を参照し、現在受信中のチャンネルのプリセット番号は「０５」であることを確認する。プリセット番号「０５」は最後のプリセット番号である「１０」ではないため、次のプリセット番号であるプリセット番号を現在選局中のプリセット番号「０５」に「０１」を加算することにより演算する。
【００９９】
この場合、演算結果は「０６」である。次に、プリセット番号「０６」に対応した選局チャンネル番号を読み出す。この場合「１６１」である。そして、コントロール部２０１はチューナー部２０４、復調部２０５、ＴＳデコーダ部２０６、ＡＶデコーダ部２０７を制御しチャンネル「１６１」選局する。そして、コントロール部２０１はメモリ部２０２のＳＴＢ１＿ＴＵＮＩＮＧ８０３を現在選局中のプリセット番号である「０６」に上書きする。
【０１００】
次に、この状態で、ステップ・ディクリメントメッセージをコントロール部２０１が受けた場合を説明する。コントロール部２０１はメモリ部２０２のＳＴＢ１＿ＴＵＮＩＮＧ８０３を参照し、現在受信中のチャンネルのプリセット番号は「０６」であることを確認する。プリセット番号「０６」は最初のプリセット番号である「０１」ではないため、ひとつ前のプリセット番号を現在選局中のプリセット番号「０６」から「０１」を減算することにより演算する。この場合、演算結果は「０５」である。
【０１０１】
次に、プリセット番号「０５」に対応した選局チャンネル番号を読み出す。この場合、「１５１」である。そして、コントロール部２０１はチューナー部２０４、復調部２０５、ＴＳデコーダ部２０６、ＡＶデコーダ部２０７を制御しチャンネル「１５１」を選局する。
【０１０２】
そして、コントロール部２０１はメモリ部２０２のＳＴＢ１＿ＴＵＮＩＮＧ８０３を現在選局中のプリセット番号である「０５」に上書きする。
【０１０３】
次にプリセット番号「１０」の選局チャンネル番号「２００」を選局中の場合を例にとる。この場合、ＳＴＢ１＿ＴＵＮＩＮＧ８０３には「１０」が格納されている。
【０１０４】
ステップ・インクリメントメッセージをコントロール部２０１が受けると、コントロール部２０１はメモリ部２０２のＳＴＢ１＿ＴＵＮＩＧ８０３を参照し、現在受信中のチャンネルのプリセット番号は「１０」であることを確認する。プリセット番号「１０」は最後のプリセット番号である「１０」と一致するため、コントロール部２０１はデジタルインターフェース送信部２０８を制御し、ＣＥＣライン４０７を用いてプリセット・ループ終了メッセージを出力する。
【０１０５】
次にプリセット番号「０１」の選局チャンネル番号「１０１」を選局中の場合を例にとる。この場合、ＳＴＢ１＿ＴＵＮＩＮＧ８０３には「０１」が格納されている。ステップ・ディクリメントメッセージをコントロール部２０１が受けると、コントロール部２０１はメモリ部２０２のＳＴＢ１＿ＴＵＮＩＧ８０３を参照し、現在受信中のチャンネルのプリセット番号は「０１」であることを確認する。
【０１０６】
プリセット番号「０１」は最後のプリセット番号である「０１」と一致するため、コントロール部２０１はデジタルインターフェース送信部２０８を制御し、ＣＥＣライン４０７を用いてプリセット・ループ終了メッセージを出力する。
【０１０７】
以上のように、本発明の実施の形態１によれば、テレビにＳＴＢ等の複数の機器を接続した場合、ユーザーのチャンネルアップ要求及びチャンネルダウン要求によりテレビのチャンネルが一巡した場合に自動的に入力切替を行い外部機器の映像を表示し、またテレビが接続機器の映像を表示している場合にユーザーからのチャンネルアップ要求及びチャンネルダウン要求を受けた場合はテレビが映像を表示している接続機器にチャンネルアップ要求及びチャンネルダウン要求を出し、接続機器のチャンネルが一巡した場合にテレビにメッセージを返し、各接続機器からのメッセージによりテレビの入力切替を自動的に行うことにより、テレビ内蔵のチューナーと各接続機器のチャンネルを連続的にチャンネルアップボタン及びチャンネルダウンボタンのみで切り替えることができる。
【０１０８】
（実施の形態２）
次に実施の形態２について説明する。実施の形態１では、テレビにチューナーが内蔵されていたが、実施の形態２では、テレビは純粋にディスプレイとして機能し、選局手段を持たない。ただし、実施の形態１同様のリモコンが付属する。
【０１０９】
また、テレビに接続されるＳＴＢは実施の形態１と同様であるため説明を省略する。また、デジタルインターフェース送信部及びデジタルインターフェース受信部の構成についても、実施の形態１同様でありＨＤＭＩを例にとって説明する。
【０１１０】
図１２は実施の形態２における映像受信システムの構成を示す図である。発明の形態１と同一の構成要素については図１と同一の符号を付し、その説明は省略する。１２００は実施の形態２でのテレビで、入力された映像を表示したり、音声を出力したりするものである。
【０１１１】
実施の形態２ではテレビに放送波を受信するための選局部及び復調部は含まれない。１２０１はテレビのコントロール部で、テレビ全体を制御するもので、例えばＣＰＵである。１２０２はテレビのメモリ部で、映像入力切替情報を格納するものである。
【０１１２】
１２０３はテレビのセレクタ部で、第一のデジタルインターフェース受信部１０８、及び第二のデジタルインターフェース受信部１０９より、１つの映像及び音声信号をコントロール部１２０１の制御により選択し、出力するものである。
【０１１３】
次に図１３を用いてユーザーがチャンネルアップボタン５０１を押下した場合の実施の形態２のテレビのチャンネルアップ処理ルーチンを説明する。この処理ルーチンはテレビのリモコン受信部１０５がリモコン１０１からのチャンネルアップ信号を受信し、リモコン受信部１０５がコントロール部１２０１にチャンネルアップ要求を出すことにより開始される。
【０１１４】
ステップ１３０１
テレビの表示部１１１が第一のＳＴＢ１１２からの映像を表示しているか確認する。
【０１１５】
ステップ１３０２
ステップ１３０１にてテレビの表示部１１１が第一のＳＴＢ１１２からの映像を表示している場合、テレビのコントロール部１２０１は第一のデジタルインターフェース部１０７を制御しＣＥＣラインを用いて第一のＳＴＢ１１２にチューナー・ステップ・インクリメントメッセージを送信し、第一のＳＴＢ１１２が現在受信中のプリセットチャンネルの次のプリセットチャンネルに選局する。
【０１１６】
ステップ１３０３
ステップ１３０２にて第一のＳＴＢ１１２のチャンネルを変更した際、第一のＳＴＢ１１２のプリセットチャンネルリストが一巡する可能性があるため、第一のＳＴＢからプリセットループ終了メッセージが出力されたかを確認する。第一のＳＴＢからプリセットループ終了メッセージが出力されなかった場合、チャンネルアップ処理ルーチンを終了する。
【０１１７】
ステップ１３０４
ステップ１３０３にて第一のＳＴＢからプリセットループ終了メッセージが出力された場合、テレビのコントロール部１２０１は第二のデジタルインターフェース部１０９を制御しＣＥＣラインを用いてプリセット選択メッセージを第二のＳＴＢ１１３に送信し、第二のＳＴＢ１１３は第二のＳＴＢ１１３のプリセットチャンネルリストの一番最初のチャンネルを選局する。
【０１１８】
ステップ１３０５
テレビのコントロール部１２０１はセレクタ部１２０３を制御し、第二のＳＴＢ１１３からの映像がテレビの表示部１１１に出力するように制御し、チャンネルアップ処理ルーチンを終了する。
【０１１９】
ステップ１３０６
ステップ１３０１にてテレビの表示部１１１が第一のＳＴＢ１１２からの映像を表示していない場合、テレビのコントロール部１２０１は第二のデジタルインターフェース受信部１０９を制御しＣＥＣラインを用いてチューナー・ステップ・インクリメントメッセージを第二のＳＴＢ１１３に送信し、第二のＳＴＢ１１３が現在受信中のプリセットチャンネルの次のプリセットチャンネルに選局する。
【０１２０】
ステップ１３０７
ステップ１３０６にて第二のＳＴＢ１１３のチャンネルを変更した際、第二のＳＴＢ１１３のプリセットチャンネルリストが一巡する可能性があるため、第二のＳＴＢ１１３からプリセットループ終了メッセージが出力されたかを確認する。
第二のＳＴＢ１１３からプリセットループ終了メッセージが出力されなかった場合、チャンネルアップ処理ルーチンを終了する。
【０１２１】
ステップ１３０８
ステップ１３０７にて第二のＳＴＢからプリセットループ終了メッセージが出力された場合、テレビのコントロール部１２０１は第一のデジタルインターフェース受信部１０８を制御しＣＥＣラインを用いてプリセット選択メッセージを第一のＳＴＢ１１２に送信し、第一のＳＴＢ１１２が第一のＳＴＢ１１２のプリセットチャンネルリストの一番最初のチャンネルを選局する。
【０１２２】
ステップ１３０９
テレビのコントロール部１２０１はセレクタ部１２０３を制御し、第一のＳＴＢ１１２からの映像がテレビの表示部１１１に出力するように制御し、チャンネルアップ処理ルーチンを終了する。
【０１２３】
次に図１４を用いてユーザーがチャンネルダウンボタン５０２を押下した場合の実施の形態２のテレビのチャンネルダウン処理ルーチンを説明する。この処理ルーチンはテレビのリモコン受信部１０５がリモコン１０１からのチャンネルダウン信号を受信し、リモコン受信部１０５がコントロール部１２０１にチャンネルダウン要求を出すことにより開始される。
【０１２４】
ステップ１４０１
テレビの表示部１１１が第一のＳＴＢ１１２からの映像を表示しているか確認する。
【０１２５】
ステップ１４０２
ステップ１３０１にてテレビの表示部１１１が第一のＳＴＢ１１２からの映像を表示している場合、テレビのコントロール部１２０１は第一のデジタルインターフェース部１０７を制御しＣＥＣラインを用いて第一のＳＴＢ１１２にチューナー・ステップ・ディクリメントメッセージを送信し、第一のＳＴＢ１１２が現在受信中のプリセットチャンネルのひとつ前のプリセットチャンネルに選局する。
【０１２６】
ステップ１４０３
ステップ１３０２にて第一のＳＴＢ１１２のチャンネルを変更した際、第一のＳＴＢ１１２のプリセットチャンネルリストが一巡する可能性があるため、第一のＳＴＢからプリセットループ終了メッセージが出力されたかを確認する。第一のＳＴＢからプリセットループ終了メッセージが出力されなかった場合、チャンネルダウン処理ルーチンを終了する。
【０１２７】
ステップ１４０４
ステップ１３０３にて第一のＳＴＢからプリセットループ終了メッセージが出力された場合、テレビのコントロール部１２０１は第二のデジタルインターフェース部１０９を制御しＣＥＣラインを用いてプリセット選択メッセージを第二のＳＴＢ１１３に送信し、第二のＳＴＢ１１３は第二のＳＴＢ１１３のプリセットチャンネルリストの最後のチャンネルを選局する。
【０１２８】
ステップ１４０５
テレビのコントロール部１２０１はセレクタ部１２０３を制御し、第二のＳＴＢ１１３からの映像がテレビの表示部１１１に出力するように制御し、チャンネルダウン処理ルーチンを終了する。
【０１２９】
ステップ１４０６
ステップ１３０１にてテレビの表示部１１１が第一のＳＴＢ１１２からの映像を表示していない場合、テレビのコントロール部１２０１は第二のデジタルインターフェース受信部１０９を制御しＣＥＣラインを用いてチューナー・ステップ・ディクリメントメッセージを第二のＳＴＢ１１３に送信し、第二のＳＴＢ１１３が現在受信中のプリセットチャンネルのひとつ前のプリセットチャンネルに選局する。
【０１３０】
ステップ１４０７
ステップ１３０６にて第二のＳＴＢ１１３のチャンネルを変更した際、第二のＳＴＢ１１３のプリセットチャンネルリストが一巡する可能性があるため、第二のＳＴＢ１１３からプリセットループ終了メッセージが出力されたかを確認する。第二のＳＴＢ１１３からプリセットループ終了メッセージが出力されなかった場合、チャンネルダウン処理ルーチンを終了する。
【０１３１】
ステップ１４０８
ステップ１３０７にて第二のＳＴＢからプリセットループ終了メッセージが出力された場合、テレビのコントロール部１２０１は第一のデジタルインターフェース受信部１０８を制御しＣＥＣラインを用いてプリセット選択メッセージを第一のＳＴＢ１１２に送信し、第一のＳＴＢ１１２が第一のＳＴＢ１１２のプリセットチャンネルリストの最後のチャンネルを選局する。
【０１３２】
ステップ１４０９
テレビのコントロール部１２０１はセレクタ部１２０３を制御し、第一のＳＴＢ１１２からの映像がテレビの表示部１１１に出力するように制御し、チャンネルダウン処理ルーチンを終了する。
【０１３３】
以上のように、本発明の実施の形態２によれば、テレビにＳＴＢ等の複数の機器を接続した場合、テレビが接続機器の映像を表示している場合にユーザーからのチャンネルアップ要求及びチャンネルダウン要求を受けた場合はテレビが映像を表示している接続機器にチャンネルアップ要求及びチャンネルダウン要求を出し、接続機器のチャンネルが一巡した場合にテレビにメッセージを返し、各接続機器からのメッセージによりテレビの入力切替を自動的に行うことにより、テレビに接続されている各接続機器のチャンネルを連続的にチャンネルアップボタン及びチャンネルダウンボタンのみで切り替えることができる。
【０１３４】
（実施の形態３）
次に実施の形態３について説明する。実施の形態３ではテレビが、各ＳＴＢのチャンネルリストを各ＳＴＢよりダウンロードし選局要求を各ＳＴＢに出すことにより、ユーザーがテレビの入力切換操作を行わずともテレビのアップダウン選局操作のみで、テレビ内蔵のチューナーと外部受信機の選局を連続的かつ循環的に行うことを可能とするものである。
【０１３５】
実施の形態３における映像受信システムの構成は、実施の形態１と同様である為、説明は省略する。
【０１３６】
図１５は実施の形態３のテレビ１００のメモリ部１０４に格納されるデータの説明をする。
【０１３７】
１５０１はＤＩＳＰ＿ＮＵＭという名称のメモリ領域でありテレビ１００のプリセット番号のリストで、実施の形態３の場合は「０１」から「１２」までの番号を格納する。１５０２はＤＩＳＰ＿ＣＨという名称のメモリ領域でありテレビ１００の選局チャンネル番号のリストで、ＤＩＳＰ＿ＮＵＭ１５０１の各プリセット番号に対応している。
【０１３８】
１５０３はテレビ１００のプリセットチャンネルリストで、テレビ１００のプリセット番号のリストとテレビ１００の選局チャンネル番号のリストをあわせたものである。１５０４はＥＸＴ１＿ＮＵＭという名称のメモリ領域であり第一のＳＴＢ１１２より取得するプリセット番号のリストを格納する。
【０１３９】
実施の形態３の場合は「０１」から「１０」までの番号を格納するが、接続する外部機器によりメモリ領域は増減してもかまわない。１５０５はＥＸＴ１＿ＣＨという名称のメモリ領域であり第一のＳＴＢ１１２より取得する選局チャンネル番号のリストを格納する。
【０１４０】
ＥＸＴ１＿ＮＵＭ１５０４の各プリセット番号に対応している。１５０６は第一のＳＴＢ１１２のプリセットチャンネルリストで、第一のＳＴＢ１１２より取得する第一のＳＴＢ１１２のプリセット番号のリストと第一のＳＴＢ１１２の選局チャンネル番号のリストをあわせたものである。
【０１４１】
１５０７はＥＸＴ２＿ＮＵＭという名称のメモリ領域であり第二のＳＴＢ１１３より取得するプリセット番号のリストを格納する。実施の形態３の場合は「０１」から「１０」までの番号を格納するが、接続する外部機器によりメモリ領域は増減してもかまわない。
【０１４２】
１５０８はＥＸＴ２＿ＣＨという名称のメモリ領域であり第二のＳＴＢ１１３より取得する選局チャンネル番号のリストを格納する。ＥＸＴ２＿ＮＵＭ１５０７の各プリセット番号に対応している。１５０９は第二のＳＴＢ１１３のプリセットチャンネルリストで、第二のＳＴＢ１１３より取得する第二のＳＴＢ１１３のプリセット番号のリストと第二のＳＴＢ１１３の選局チャンネル番号のリストをあわせたものである。
【０１４３】
１５１０はＮＵＭ＿ＴＵＮＩＮＧという名称のメモリ領域であり、選局中のプリセット番号を格納する。１５１１はＭＡＸ＿ＤＩＳＰ＿ＮＵＭという名称のメモリ領域であり、テレビ１００が格納しているプリセット番号の個数で、実施の形態３の場合は「０１」から「１２」の１２個である。
【０１４４】
１５１２はＭＡＸ＿ＥＸＴ１＿ＮＵＭという名称のメモリ領域であり、第一のＳＴＢ１１２が格納しているプリセット番号の個数で、実施の形態３の場合は「０１」から「１０」の１０個である。１５１３はＭＡＸ＿ＥＸＴ２＿ＮＵＭという名称のメモリ領域であり、第二のＳＴＢ１１３が格納しているプリセット番号の個数で、実施の形態３の場合は「０１」から「１０」の１０個である。
【０１４５】
１５１４はＤＩＳＰ＿ＩＮＰＵＴ＿ＳＥＬという名称のメモリ領域であり、テレビ１００のセレクタ部１１０の状態を示す。値「０」がＤＩＳＰ＿ＩＮＰＵＴ＿ＳＥＬ１５１４の領域に格納されている場合はテレビ１００の復調部１０７からの映像がセレクタ部１１０により選択され表示部１１１に出力されていることを示し、値「１」がＤＩＳＰ＿ＩＮＰＵＴ＿ＳＥＬ１５１４の領域に格納されている場合はテレビ１００の第一のデジタルインターフェース受信部１０８からの映像がセレクタ部１１０により選択され表示部１１１に出力されていることを示し、値「２」がＤＩＳＰ＿ＩＮＰＵＴ＿ＳＥＬ１５１４の領域に格納されている場合はテレビ１００の第二のデジタルインターフェース受信部１０９からの映像がセレクタ部１１０により選択され表示部１１１に出力されていることを示す。
【０１４６】
次に図１６を用いて実施の形態３のテレビ１００がテレビ１００に接続されたＳＴＢなどの外部受信機からプリセットリストを取得する場合のプリセットリスト・ダウンロード処理ルーチンを示す。プリセットリスト・ダウンロード処理ルーチンは、テレビ１００の第一のデジタルインターフェース受信部１０８が第一のＳＴＢ１１２の接続を検出し、コントロール部１０３に接続検知信号を出力することにより開始される。
【０１４７】
テレビ１００の第二のデジタルインターフェース受信部１０９が第二のＳＴＢ１１３の接続を検知した場合は、第一のＳＴＢ１１２の接続を検知した場合と同様の処理を行うので、説明は省略する。
【０１４８】
ステップ１６０１
テレビ１００のコントロール部１０３は、第一のデジタルインターフェース受信部１０８を制御し、ＣＥＣライン４０７を用いてプリセットリスト送信開始メッセージを第一のＳＴＢ１１２に送信する。
【０１４９】
ステップ１６０２
テレビ１００の第一のデジタルインターフェース受信部１０８は第一のＳＴＢ１１２から送られてくるプリセットチャンネルリストを受信する。
【０１５０】
ステップ１６０３
テレビ１００のコントロール部１０３は第一のデジタルインターフェース受信部１０８にて受信したプリセットチャンネルリストをメモリ部１０４の第一のＳＴＢのプリセットリスト１５０６に格納する。そして、第一のＳＴＢ１１２が格納しているプリセット番号の個数であるＭＡＸ＿ＥＸＴ１＿ＮＵＭ１５１２を更新する。
【０１５１】
上記処理により、第一のＳＴＢ１１２が持つプリセットチャンネルリストがメモリ部１０４に格納される。第二のＳＴＢ１１３が第二のデジタルインターフェース部１０９に接続された場合にも同様の手順で第二のＳＴＢ１１３が持つプリセットチャンネルリストを取得することが可能である。
【０１５２】
また、実施の形態３ではプリセットリスト・ダウンロード処理ルーチンはＳＴＢの接続を検知したときのみ実行されるが、ある時間間隔で繰り返し実行されてもよい。また、実施の形態３ではプリセットリスト・ダウンロード処理ルーチンはＳＴＢの接続を検知したときのみ実行されるが、ＳＴＢから出力されるチャンネルリスト更新メッセージなどの要因をトリガーにして実行してもよい。
【０１５３】
次に実施の形態３でのチャンネルアップ処理ルーチンを図１７を用いて説明する。この処理ルーチンはテレビのリモコン受信部１０５がリモコン１０１からのチャンネルアップ信号を受信し、リモコン受信部１０５がコントロール部１０３にチャンネルアップ要求を出力することにより開始される。
【０１５４】
ステップ１７０１
テレビのコントロール部１０３がチャンネルアップ要求を認識すると、まず現在テレビの表示部１１１がテレビの復調部１０７からの映像を表示しているかをセレクタ部１１０の状態を確認することにより判別する。状態を確認するためには、メモリ部１０４のＤＩＳＰ＿ＩＮＰＵＴ＿ＳＥＬ１５１４に格納されている値と値「０」を比較することにより可能である。比較が一致した場合は、現在テレビの表示部１１１がテレビの復調部１０７からの映像を表示しているということが確認できる。
【０１５５】
ステップ１７０２
ステップ１７０１にて比較が一致した場合、現在テレビの選局部１０６及びテレビの復調部１０７が選局しているチャンネルは、テレビのプリセットチャンネルリストの最後のチャンネルを選局中か確認する。状態を確認するためには、メモリ部１０４のＮＵＭ＿ＴＵＮＩＮＧ１５１０に格納されている値とＭＡＸ＿ＤＩＳＰ＿ＮＵＭ１５１１に格納されている値とを比較することにより可能である。
【０１５６】
比較が一致した場合は、現在テレビの選局部１０６及びテレビの復調部１０７が選局しているチャンネルは、テレビのプリセットチャンネルリストの最後のチャンネルであることが確認できる。
【０１５７】
ステップ１７０３
ステップ１７０２にて比較が一致しなかった場合、コントロール部１０３は選局部１０６及び復調部１０７を制御し、現在選局中のプリセットチャンネルの次のプリセットチャンネルに選局し、チャンネルアップ処理ルーチンを終了する。詳しく説明すると、コントロール部１０３は、メモリ部１０４のＮＵＭ＿ＴＵＮＩＮＧ１５１０に格納されている値に「１」を加算した値を演算し、演算結果をテレビ１００のプリセット番号のリストであるＤＩＳＰ＿ＮＵＭ１５０１より検索し、検索結果に対応した選局チャンネル番号をテレビの選局チャンネル番号のリストであるＤＩＳＰ＿ＣＨ１５０２より読み出し、読み出した選局チャンネル番号を選局部１０６及び復調部１０７に設定し、ＮＵＭ＿ＴＵＮＩＮＧ１５１０に演算結果を上書きし、チャンネルアップ処理ルーチンを終了する。
【０１５８】
ステップ１７０４
ステップ１７０２にて比較が一致した場合、コントロール部１０３は第一のデジタルインターフェース受信部１０８を制御し、第一のＳＴＢ１１２の最初のプリセット番号を選局するために、ＣＥＣラインを用いてプリセット選択メッセージを第一のＳＴＢ１１２に送信し、選局中のチャンネルのプリセット番号を格納するメモリ領域であるＮＵＭ＿ＴＵＮＩＮＧ１５１０を第一のＳＴＢ１１２のプリセットチャンネルリストの最初の値に上書きする。
【０１５９】
ステップ１７０５
テレビのコントロール部１０３はセレクタ部１１０を制御し、第一のＳＴＢ１１２からの映像がテレビの表示部１１１に出力するように制御し、セレクタ部１１０の状態を格納する領域であるＤＩＳＰ＿ＩＮＰＵＴ＿ＳＥＬ１５１４に第一のデジタルインターフェース受信部からの入力が選択されていることを示す値「１」を上書きし、チャンネルアップ処理ルーチンを終了する。
【０１６０】
ステップ１７０６
ステップ１７０１にて比較が一致しなかった場合、現在テレビの表示部１１１が第一のデジタルインターフェース受信部１０８からの映像を表示しているかをセレクタ部１１０の状態を確認することにより判別する。状態を確認するためには、メモリ部１０４のＤＩＳＰ＿ＩＮＰＵＴ＿ＳＥＬ１５１４に格納されている値と値「１」を比較することにより可能である。
【０１６１】
比較が一致した場合は、現在テレビの表示部１１１が第一のデジタルインターフェース受信部１０８からの映像を表示しているということが確認できる。比較が一致しなかった場合は、現在テレビの表示部１１１が第二のデジタルインターフェース受信部１０９からの映像を表示しているということが確認できる。
【０１６２】
ステップ１７０７
ステップ１７０６にて比較が一致した場合、現在第一のＳＴＢ１１２が選局しているチャンネルは、第一のＳＴＢ１１２のプリセットチャンネルリストの最後のチャンネルを選局中か確認する。状態を確認するためには、メモリ部１０４のＮＵＭ＿ＴＵＮＩＮＧ１５１０に格納されている値とＭＡＸ＿ＥＸＴ１＿ＮＵＭ１５１２に格納されている値とを比較することにより可能である。比較が一致した場合は、現在第一のＳＴＢ１１２が選局しているチャンネルは、第一のＳＴＢ１１２のプリセットチャンネルリストの最後のチャンネルであることが確認できる。
【０１６３】
ステップ１７０８
ステップ１７０２にて比較が一致しなかった場合、コントロール部１０３は第一のデジタルインターフェース受信部１０８を制御し、第一のＳＴＢ１１２を現在選局中のプリセットチャンネルの次のプリセットチャンネルに選局し、チャンネルアップ処理ルーチンを終了する。詳しく説明すると、コントロール部１０３は、メモリ部１０４のＮＵＭ＿ＴＵＮＩＮＧ１５１０に格納されている値に「１」を加算した値を演算し、演算結果をＣＥＣラインを用いてプリセット選択メッセージのプリセット番号として第一のＳＴＢ１１２に送信し、ＮＵＭ＿ＴＵＮＩＮＧ１５１０に演算結果を上書きし、チャンネルアップ処理ルーチンを終了する。
【０１６４】
ステップ１７０９
ステップ１７０７にて比較が一致した場合、コントロール部１０３は第二のデジタルインターフェース受信部１０９を制御し、第二のＳＴＢ１１３の最初のプリセット番号を選局するために、ＣＥＣラインを用いてプリセット選択メッセージを第二のＳＴＢ１１３に送信し、選局中のチャンネルのプリセット番号を格納するメモリ領域であるＮＵＭ＿ＴＵＮＩＮＧ１５１０を第二のＳＴＢ１１３のプリセット番号リストの最初の値で上書きする。
【０１６５】
ステップ１７１０
テレビのコントロール部１０３はセレクタ部１１０を制御し、第二のＳＴＢ１１３からの映像がテレビの表示部１１１に出力するように制御し、セレクタ部１１０の状態を格納する領域であるＤＩＳＰ＿ＩＮＰＵＴ＿ＳＥＬ１５１４に第二のデジタルインターフェース受信部からの入力が選択されていることを示す値「２」を上書きし、チャンネルアップ処理ルーチンを終了する。
【０１６６】
ステップ１７１１
ステップ１７０６にて比較が一致しなかった場合、現在第二のＳＴＢ１１３が選局しているチャンネルは、第二のＳＴＢ１１３のプリセットチャンネルリストの最後のチャンネルを選局中か確認する。状態を確認するためには、メモリ部１０４のＮＵＭ＿ＴＵＮＩＮＧ１５１０に格納されている値とＭＡＸ＿ＥＸＴ２＿ＮＵＭ１５１３に格納されている値とを比較することにより可能である。比較が一致した場合は、現在第二のＳＴＢ１１３が選局しているチャンネルは、第二のＳＴＢ１１３のプリセットチャンネルリストの最後のチャンネルであることが確認できる。
【０１６７】
ステップ１７１２
ステップ１７１１にて比較が一致しなかった場合、コントロール部１０３は第二のデジタルインターフェース受信部１０９を制御し、第二のＳＴＢ１１３を現在選局中のプリセットチャンネルの次のプリセットチャンネルに選局し、チャンネルアップ処理ルーチンを終了する。詳しく説明すると、コントロール部１０３は、メモリ部１０４のＮＵＭ＿ＴＵＮＩＮＧ１５１０に格納されている値に「１」を加算した値を演算し、演算結果をＣＥＣラインを用いてプリセット選択メッセージのプリセット番号として第二のＳＴＢ１１３に送信し、ＮＵＭ＿ＴＵＮＩＮＧ１５１０に演算結果を上書きし、チャンネルアップ処理ルーチンを終了する。
【０１６８】
ステップ１７１３
ステップ１７１１にて比較が一致した場合、コントロール部１０３は選局部１０６及び復調部１０７を制御し、テレビのプリセットチャンネルの最初のチャンネルを選局し、チャンネルアップ処理ルーチンを終了する。詳しく説明すると、コントロール部１０３は、テレビ１００のプリセット番号のリストであるＤＩＳＰ＿ＮＵＭより最小の値を検索し、検索結果に対応した選局チャンネル番号をテレビの選局チャンネル番号のリストであるＤＩＳＰ＿ＣＨ１５０２より読み出し、読み出した選局チャンネル番号を選局部１０６及び復調部１０７に設定し、ＮＵＭ＿ＴＵＮＩＮＧ１５１０にＤＩＳＰ＿ＮＵＭ１５０１の最小値を上書きし、チャンネルアップ処理ルーチンを終了する。
【０１６９】
ステップ１７１４
テレビのコントロール部１０３はセレクタ部１１０を制御し、テレビの復調部１０７からの映像がテレビの表示部１１１に出力するように制御し、セレクタ部１１０の状態を格納する領域であるＤＩＳＰ＿ＩＮＰＵＴ＿ＳＥＬ１５１４にテレビの復調部１０７からの入力が選択されていることを示す値「０」を上書きし、チャンネルアップ処理ルーチンを終了する。
【０１７０】
次に実施の形態３でのチャンネルダウン処理ルーチンを図１８を用いて説明する。この処理ルーチンはテレビのリモコン受信部１０５がリモコン１０１からのチャンネルダウン信号を受信し、リモコン受信部１０５がコントロール部１０３にチャンネルダウン要求を出力することにより開始される。
【０１７１】
ステップ１８０１
テレビのコントロール部１０３がチャンネルダウン要求を認識すると、まず現在テレビの表示部１１１がテレビの復調部１０７からの映像を表示しているかをセレクタ部１１０の状態を確認することにより判別する。状態を確認するためには、メモリ部１０４のＤＩＳＰ＿ＩＮＰＵＴ＿ＳＥＬ１５１４に格納されている値と値「０」を比較することにより可能である。比較が一致した場合は、現在テレビの表示部１１１がテレビの復調部１０７からの映像を表示しているということが確認できる。
【０１７２】
ステップ１８０２
ステップ１８０１にて比較が一致した場合、現在テレビの選局部１０６及びテレビの復調部１０７が選局しているチャンネルは、テレビのプリセットチャンネルリストの最初のチャンネルを選局中か確認する。状態を確認するためには、メモリ部１０４のＮＵＭ＿ＴＵＮＩＮＧ１５１０に格納されている値と値「０１」とを比較することにより可能である。比較が一致した場合は、現在テレビの選局部１０６及びテレビの復調部１０７が選局しているチャンネルは、テレビのプリセットチャンネルリストの最初のチャンネルであることが確認できる。
【０１７３】
ステップ１８０３
ステップ１８０２にて比較が一致しなかった場合、コントロール部１０３は選局部１０６及び復調部１０７を制御し、現在選局中のプリセットチャンネルのひとつ前のプリセットチャンネルに選局し、チャンネルダウン処理ルーチンを終了する。詳しく説明すると、コントロール部１０３は、メモリ部１０４のＮＵＭ＿ＴＵＮＩＮＧ１５１０に格納されている値に「１」を減算した値を演算し、演算結果をテレビ１００のプリセット番号のリストであるＤＩＳＰ＿ＮＵＭ１５０１より検索し、検索結果に対応した選局チャンネル番号をテレビの選局チャンネル番号のリストであるＤＩＳＰ＿ＣＨ１５０２より読み出し、読み出した選局チャンネル番号を選局部１０６及び復調部１０７に設定し、ＮＵＭ＿ＴＵＮＩＮＧ１５１０に演算結果を上書きし、チャンネルダウン処理ルーチンを終了する。
【０１７４】
ステップ１８０４
ステップ１８０２にて比較が一致した場合、コントロール部１０３は第二のデジタルインターフェース受信部１０９を制御し、第二のＳＴＢ１１３の最後のプリセット番号を選局するために、ＣＥＣラインを用いてプリセット選択メッセージを第二のＳＴＢ１１３に送信し、選局中のチャンネルのプリセット番号を格納するメモリ領域であるＮＵＭ＿ＴＵＮＩＮＧ１５１０を第二のＳＴＢ１１３のプリセット番号リストの最大の値であるＭＡＸ＿ＥＸＴ２＿ＮＵＭ１５１３で上書きする。
【０１７５】
ステップ１８０５
テレビのコントロール部１０３はセレクタ部１１０を制御し、第二のＳＴＢ１１３からの映像がテレビの表示部１１１に出力するように制御し、セレクタ部１１０の状態を格納する領域であるＤＩＳＰ＿ＩＮＰＵＴ＿ＳＥＬ１５１４に第二のデジタルインターフェース受信部からの入力が選択されていることを示す値「２」を上書きし、チャンネルダウン処理ルーチンを終了する。
【０１７６】
ステップ１８０６
ステップ１８０１にて比較が一致しなかった場合、現在テレビの表示部１１１が第一のデジタルインターフェース受信部１０８からの映像を表示しているかをセレクタ部１１０の状態を確認することにより判別する。状態を確認するためには、メモリ部１０４のＤＩＳＰ＿ＩＮＰＵＴ＿ＳＥＬ１５１４に格納されている値と値「１」を比較することにより可能である。比較が一致した場合は、現在テレビの表示部１１１が第一のデジタルインターフェース受信部１０８からの映像を表示しているということが確認できる。比較が一致しなかった場合は、現在テレビの表示部１１１が第二のデジタルインターフェース受信部１０９からの映像を表示しているということが確認できる。
【０１７７】
ステップ１８０７
ステップ１８０６にて比較が一致した場合、現在第一のＳＴＢ１１２が選局しているチャンネルは、第一のＳＴＢ１１２のプリセットチャンネルリストの最初のチャンネルを選局中か確認する。状態を確認するためには、メモリ部１０４のＮＵＭ＿ＴＵＮＩＮＧ１５１０に格納されている値と値「０１」とを比較することにより可能である。比較が一致した場合は、現在第一のＳＴＢ１１２が選局しているチャンネルは、第一のＳＴＢ１１２のプリセットチャンネルリストの最初のチャンネルであることが確認できる。
【０１７８】
ステップ１８０８
ステップ１８０７にて比較が一致しなかった場合、コントロール部１０３は第一のデジタルインターフェース受信部１０８を制御し、第一のＳＴＢ１１２を現在選局中のプリセットチャンネルのひとつ前のプリセットチャンネルに選局し、チャンネルダウン処理ルーチンを終了する。詳しく説明すると、コントロール部１０３は、メモリ部１０４のＮＵＭ＿ＴＵＮＩＮＧ１５１０に格納されている値に「１」を減算した値を演算し、演算結果をＣＥＣラインを用いてプリセット選択メッセージのプリセット番号として第一のＳＴＢ１１２に送信し、ＮＵＭ＿ＴＵＮＩＮＧ１５１０に演算結果を上書きし、チャンネルダウン処理ルーチンを終了する。
【０１７９】
ステップ１８０９
ステップ１８０７にて比較が一致した場合、コントロール部１０３は選局部１０６及び復調部１０７を制御し、テレビのプリセットチャンネルの最後のチャンネルを選局し、チャンネルダウン処理ルーチンを終了する。詳しく説明すると、コントロール部１０３は、テレビ１００のプリセット番号のリストであるＤＩＳＰ＿ＮＵＭより最大の値を検索し、検索結果に対応した選局チャンネル番号をテレビの選局チャンネル番号のリストであるＤＩＳＰ＿ＣＨ１５０２より読み出し、読み出した選局チャンネル番号を選局部１０６及び復調部１０７に設定し、ＮＵＭ＿ＴＵＮＩＮＧ１５１０にＤＩＳＰ＿ＮＵＭ１５０１の最大値を上書きし、チャンネルダウン処理ルーチンを終了する。
【０１８０】
ステップ１８１０
テレビのコントロール部１０３はセレクタ部１１０を制御し、テレビの復調部１０７からの映像がテレビの表示部１１１に出力するように制御し、セレクタ部１１０の状態を格納する領域であるＤＩＳＰ＿ＩＮＰＵＴ＿ＳＥＬ１５１４にテレビの復調部１０７からの入力が選択されていることを示す値「０」を上書きし、チャンネルダウン処理ルーチンを終了する。
【０１８１】
ステップ１８１１
ステップ１８０６にて比較が一致しなかった場合、現在第二のＳＴＢ１１３が選局しているチャンネルは、第二のＳＴＢ１１３のプリセットチャンネルリストの最初のチャンネルを選局中か確認する。状態を確認するためには、メモリ部１０４のＮＵＭ＿ＴＵＮＩＮＧ１５１０に格納されている値と値「０１」とを比較することにより可能である。比較が一致した場合は、現在第二のＳＴＢ１１３が選局しているチャンネルは、第二のＳＴＢ１１３のプリセットチャンネルリストの最初のチャンネルであることが確認できる。
【０１８２】
ステップ１８１２
ステップ１８１１にて比較が一致しなかった場合、コントロール部１０３は第二のデジタルインターフェース受信部１０９を制御し、第二のＳＴＢ１１３を現在選局中のプリセットチャンネルのひとつ前のプリセットチャンネルに選局し、チャンネルダウン処理ルーチンを終了する。詳しく説明すると、コントロール部１０３は、メモリ部１０４のＮＵＭ＿ＴＵＮＩＮＧ１５１０に格納されている値に「１」を減算した値を演算し、演算結果をＣＥＣラインを用いてプリセット選択メッセージのプリセット番号として第二のＳＴＢ１１３に送信し、ＮＵＭ＿ＴＵＮＩＮＧ１５１０に演算結果を上書きし、チャンネルダウン処理ルーチンを終了する。
【０１８３】
ステップ１８１３
ステップ１８１１にて比較が一致した場合、コントロール部１０３は第一のデジタルインターフェース受信部１０８を制御し、第一のＳＴＢ１１２の最後のプリセット番号を選局するために、ＣＥＣラインを用いてプリセット選択メッセージを第一のＳＴＢ１１２に送信し、選局中のチャンネルのプリセット番号を格納するメモリ領域であるＮＵＭ＿ＴＵＮＩＮＧ１５１０を第一のＳＴＢ１１３のプリセット番号リストの最大の値であるＭＡＸ＿ＥＸＴ１＿ＮＵＭ１５１２で上書きする。
【０１８４】
ステップ１８１４
テレビのコントロール部１０３はセレクタ部１１０を制御し、第一のＳＴＢ１１２からの映像がテレビの表示部１１１に出力するように制御し、セレクタ部１１０の状態を格納する領域であるＤＩＳＰ＿ＩＮＰＵＴ＿ＳＥＬ１５１４に第一のデジタルインターフェース受信部からの入力が選択されていることを示す値「１」を上書きし、チャンネルダウン処理ルーチンを終了する。
【０１８５】
以上のように、本発明の実施の形態３によれば、テレビにＳＴＢ等の複数の機器を接続した場合、接続された機器のプリセットチャンネルの情報を取得し、テレビが接続された機器の選局状態を一括で管理することにより、テレビ内蔵のチューナーと各接続機器のチャンネルを連続的にチャンネルアップボタン及びチャンネルダウンボタンのみで切り替えることができる。なお、実施の形態３では、テレビがテレビに接続された外部機器の選局を制御するが、外部機器がテレビを含めた全ての接続機器の選局および入力切替を制御してもよい。
【０１８６】
【発明の効果】
以上のようにこの発明によれば、テレビにＳＴＢ等の複数の機器を接続した環境で、テレビのリモコンのアップダウン選局ボタンを押下することのみで、接続された全ての機器のチャンネルを選局することが可能となり、ユーザーがテレビの入力切替ボタンを押下する操作及びテレビ以外のリモコンに持ち替えて接続された機器のチャンネルを操作をするという手間が不要となるという効果がある。
【図面の簡単な説明】
【図１】本発明による実施の形態１の構成を示す図
【図２】本発明による実施の形態１の第一のＳＴＢの構成を示す図
【図３】本発明による実施の形態１の第二のＳＴＢの構成を示す図
【図４】ＨＤＭＩの構成の概略を示す図
【図５】本発明による実施の形態１のテレビのリモコンの構成を示す図
【図６】本発明による実施の形態１のテレビによるチャンネルアップ処理ルーチンを示す図
【図７】本発明による実施の形態１のテレビによるチャンネルダウン処理ルーチンを示す図
【図８】本発明による実施の形態１の第一のＳＴＢのメモリ構成を示す図
【図９】本発明による実施の形態１の第一のＳＴＢのステップ・インクリメント処理ルーチンを示す図
【図１０】本発明による実施の形態１の第一のＳＴＢのステップ・ディクリメント処理ルーチンを示す図
【図１１】本発明による実施の形態１の第一のＳＴＢのプリセット選択処理ルーチンを示す図
【図１２】本発明による実施の形態２の構成を示す図
【図１３】本発明による実施の形態２のテレビによるチャンネルアップ処理ルーチンを示す図
【図１４】本発明による実施の形態２のテレビによるチャンネルダウン処理ルーチンを示す図
【図１５】本発明による実施の形態３のテレビのメモリ構成を示す図
【図１６】本発明による実施の形態３のテレビによるプリセット・リストダウンロード処理ルーチンを示す図
【図１７】本発明による実施の形態３のテレビによるチャンネルアップ処理ルーチンを示す図
【図１８】本発明による実施の形態３のテレビによるチャンネルダウン処理ルーチンを示す図
【図１９】従来例の構成を示す図
【符号の説明】
１００  テレビ
１０１  テレビのリモコン
１０２  テレビのアンテナ
１０３  テレビのコントロール部
１０４  テレビのメモリ部
１０５  テレビのリモコン受信部
１０６  テレビの選局部
１０７  テレビの復調部
１０８  テレビの第一のデジタルインターフェース部
１０９  テレビの第二のデジタルインターフェース部
１１０  テレビのセレクタ部
１１１  テレビの表示部
１１２  第一のＳＴＢ
１１３  第二のＳＴＢ
１１４  デジタルケーブル
１１５  デジタルケーブル
２００  第一のＳＴＢ
２０１  第一のＳＴＢのコントロール部
２０２  第一のＳＴＢのメモリ部
２０３  第一のＳＴＢののアンテナ
２０４  第一のＳＴＢのチューナ部
２０５  第一のＳＴＢの復調部
２０６  第一のＳＴＢのＴＳデコーダ部
２０７  第一のＳＴＢのＡＶデコーダ部
２０８  デジタルインターフェース送信部
３００  第二のＳＴＢ
３０１  第二のＳＴＢのコントロール部
３０２  第二のＳＴＢのメモリ部
３０３  第二のＳＴＢののアンテナ
３０４  第二のＳＴＢのチューナ部
３０５  第二のＳＴＢの復調部
３０６  第二のＳＴＢのＴＳデコーダ部
３０７  第二のＳＴＢのＡＶデコーダ部
３０８  デジタルインターフェース送信部
４０１  ＨＤＭＩデジタルインターフェース送信部
４０２  ＴＭＤＳエンコーダ
４０３  ＳＴＢのコントロール部
４０４  テレビのＨＤＭＩデジタルインターフェース受信部
４０５  ＴＭＤＳデコーダ
４０６  テレビのコントロール部
４０７  ＣＥＣライン
４０８  ＤＤＣライン
５００  リモコン
５０１  チャンネルアップボタン
５０２  チャンネルダウンボタン
８００  ＳＴＢ１＿ＮＵＭ
８０１  ＳＴＢ１＿ＣＨ
８０２  プリセットチャンネルリスト
８０３  ＳＴＢ１＿ＴＵＮＩＮＧ
８０４  ＭＡＸ＿ＳＴＢ１＿ＮＵＭ
１２０１  テレビのコントロール部
１２０２  テレビのメモリ部
１２０３  テレビのセレクタ部
１５０１  ＤＩＳＰ＿ＮＵＭ
１５０２  ＤＩＳＰ＿ＣＨ
１５０３  テレビ１００のプリセットチャンネルリスト
１５０４  ＥＸＴ１＿ＮＵＭ
１５０５  ＥＸＴ１＿ＣＨ
１５０６  第一のＳＴＢ１１２のプリセットチャンネルリスト
１５０７  ＥＸＴ２＿ＮＵＭ
１５０８  ＥＸＴ２＿ＣＨ
１５０９  第二のＳＴＢ１１３のプリセットチャンネルリスト
１５１０  ＮＵＭ＿ＴＵＮＩＮＧ
１５１１  ＭＡＸ＿ＤＩＳＰ＿ＮＵＭ
１５１２  ＭＡＸ＿ＥＸＴ１＿ＮＵＭ
１５１３  ＭＡＸ＿ＥＸＴ２＿ＮＵＭ
１５１４  ＤＩＳＰ＿ＩＮＰＵＴ＿ＳＥＬ
【図１】
2004304220.tif 000003
【図２】
2004304220.tif 000004
【図３】
2004304220.tif 000005
【図４】
2004304220.tif 000006
【図５】
2004304220.tif 000007
【図６】
2004304220.tif 000008
【図７】
2004304220.tif 000009
【図８】
2004304220.tif 000010
【図９】
2004304220.tif 000011
【図１０】
2004304220.tif 000012
【図１１】
2004304220.tif 000013
【図１２】
2004304220.tif 000014
【図１３】
2004304220.tif 000015
【図１４】
2004304220.tif 000016
【図１５】
2004304220.tif 000017
【図１６】
2004304220.tif 000018
【図１７】
2004304220.tif 000019
【図１８】
2004304220.tif 000020
【図１９】
2004304220.tif 000021